(57)【特許請求の範囲】
【請求項１】
ＨＤＭＩソース装置とＨＤＭＩシンク装置との間に接続され、ＴＭＤＳ信号、ＤＤＣ信号、ホットプラグ検出信号を転送するＨＤＭＩリピータ装置であって、
ＨＤＭＩソース装置からのＴＭＤＳ信号を受信し、イコライザにより高域ゲインを上げた後、ＨＤＭＩシンク装置に送信するイコライザ部と、
ＨＤＣＰ第１認証実行の有無を判断する第１認証判断手段と、
前記第１認証判断手段がＨＤＣＰ第１認証実行ありと判断すると、前記イコライザ部の前記イコライザの高域ゲインを増加または減少させる高域ゲイン調整手段と、
を備えたＨＤＭＩリピータ装置。
【請求項２】
ＨＤＭＩソース装置とＨＤＭＩシンク装置との間に接続され、ＨＤＭＩソース装置からのＴＭＤＳ信号を受信し、イコライザにより高域ゲインを上げた後、ＨＤＭＩシンク装置に送信するイコライザ部を有するとともに、ＴＭＤＳ信号を転送するＨＤＭＩリピータ装置をコンピュータによって実現するためのＨＤＭＩリピータプログラムであって、
コンピュータを、
ＨＤＣＰ第１認証実行の有無を判断する第１認証判断手段と、
前記第１認証判断手段がＨＤＣＰ第１認証実行ありと判断すると、前記イコライザ部の前記イコライザの高域ゲインを増加または減少させる高域ゲイン調整手段と、
として機能させるためのＨＤＭＩリピータプログラム。
【請求項３】
請求項１のＨＤＭＩリピータ装置において、
前記第１認証判断手段は、ＤＤＣ信号を解析し、当該ＤＤＣ信号がＨＤＣＰ第１認証にのみ用いられるものであるかどうかを判断することによって、ＨＤＣＰ第１認証実行の有無を判断することを特徴とするＨＤＭＩリピータ装置。
【請求項４】
請求項２のＨＤＭＩリピータプログラムにおいて、
前記第１認証判断手段は、ＤＤＣ信号を解析し、当該ＤＤＣ信号がＨＤＣＰ第１認証にのみ用いられるものであるかどうかを判断することによって、ＨＤＣＰ第１認証実行の有無を判断することを特徴とするＨＤＭＩリピータプログラム
【請求項５】
請求項１のＨＤＭＩリピータ装置において、
前記第１認証判断手段は、ＨＤＭＩシンク装置がホットプラグ検出信号を出力したかどうかを判断することによって、ＨＤＣＰ第１認証実行の有無を判断することを特徴とするＨＤＭＩリピータ装置。
【請求項６】
請求項２のＨＤＭＩリピータプログラムにおいて、
前記第１認証判断手段は、ＨＤＭＩシンク装置がホットプラグ検出信号を出力したかどうかを判断することによって、ＨＤＣＰ第１認証実行の有無を判断することを特徴とするＨＤＭＩリピータプログラム。
【請求項７】
請求項１、３、５のいずれかのＨＤＭＩリピータ装置において、
前記高域ゲイン調整手段によって高域ゲインが増加または減少されると、ＨＤＭＩソース装置に対して、ホットプラグ検出信号を強制的に出力する強制ホットプラグ手段をさらに備えたことを特徴とするＨＤＭＩリピータ装置。
【請求項８】
請求項２、４、６のいずれかのＨＤＭＩリピータプログラムにおいて、
前記コンピュータを、
前記高域ゲイン調整手段によって高域ゲインが増加または減少されると、ＨＤＭＩソース装置に対して、ホットプラグ検出信号を強制的に出力する強制ホットプラグ手段としてさらに機能させるためのＨＤＭＩリピータプログラム。
【請求項９】
データを送信するソース装置と、ソース装置からのデータを受信するシンク装置との間に接続され、データの中継を行うリピータ装置であって、
前記ソース装置は、接続されたシンク装置の認証を行った後、データを送信するものであり、
前記ソース装置または前記シンク装置は、データが正しく送受信されたかどうかの確認を行い、正しく送信されていないと判断した場合には、前記認証を再度行うものであって、
ソース装置からのデータを受信し、当該データに所定の特性修正を施した後、シンク装置に送信する特性修正部と、
ソース装置からの制御信号を受信してシンク装置に転送するとともに、シンク装置からの制御信号を受信してソース装置に転送する制御信号転送部と、
制御信号転送部において転送される制御信号を取得し、前記認証が行われているか否かを判断する認証判断手段と、
前記認証判断手段によって前記認証が行われていると判断すると、前記特性修正部による特性修正の内容を変更する変更手段と、
を備えたリピータ装置。
【請求項１０】
ＨＤＭＩソース装置とＨＤＭＩシンク装置との間においてやりとりされるＴＭＤＳ信号を転送する方法であって、
ＨＤＭＩソース装置からのＴＭＤＳ信号を受信し、高域ゲインを上げた後、ＨＤＭＩリピータ装置に送信し、
ＨＤＣＰ第１認証実行の有無を判断し、
ＨＤＣＰ第１認証実行ありと判断すると、前記高域ゲインを増加または減少させること、
を特徴とする方法。
【発明の詳細な説明】
【技術分野】
【０００１】
この発明は、たとえばイコライザなどの特性修正機能を有するリピータ装置に関するものである。
【背景技術】
【０００２】
ＡＶ機器の接続において、１本のケーブルで映像・音声・制御信号を合わせて送受信することのできるＨＤＭＩケーブルが用いられている。映像・音声信号はＴＭＤＳ信号、制御信号はＤＤＣ信号などと呼ばれる。たとえば、ＤＶＤプレイヤなどのＨＤＭＩソース装置と、ディスプレイなどのＨＤＭＩシンク装置との間の接続に用いられる。
【０００３】
図１に示すように、ＨＤＭＩシンク装置に対して、複数のＨＤＭＩソース装置を接続する場合のために、切換機能のついたリピータ装置が用いられることがある。図１においては、ＨＤＭＩシンク装置であるモニタＳＫが、リピータ装置ＲＰを介して、ＨＤＭＩソース装置であるＤＶＤプレイヤＳＯ1、ブルーレイディスクプレイヤＳＯ2・・・セットトップボックスＳＯnに接続されている。各装置間の接続は、ＨＤＭＩケーブルＣＢによって行われている。
【０００４】
リピータ装置ＲＰは、ユーザ操作によって切り換えることのできる切換スイッチを内蔵しており、ＤＶＤプレイヤＳＯ1、ブルーレイディスクプレイヤＳＯ2・・・セットトップボックスＳＯnのいずれをモニタＳＫに接続するかを選択する。
【０００５】
ここで、ＤＶＤプレイヤＳＯ1（あるいはＢＤプレイヤＳＯ2、セットトップボックスＳＯn）と、リピータ装置ＲＰとの間のＨＤＭＩケーブルＣＢが長いと、ＤＶＤプレイヤＳＯ1からのＴＭＤＳ信号（映像・音声信号）が減衰し（特に高域が減衰する）、モニタＳＫにおいて正しく再生できないという問題が生じる。たとえば、特許文献１においては、伝送路であるＨＤＭＩケーブルによって伝送品質が劣化した場合、ＴＭＤＳ信号のゲインを上げることによって対応する点が開示されている。
【０００６】
また、上記のような場合に備えて、リピータ装置ＲＰには、高域周波数帯のゲインを上げるイコライザが設けられることがある。これにより、ＤＶＤプレイヤＳＯ1からのＴＭＤＳ信号において、高域の減衰があっても、これをイコライザによって補い、モニタＳＫに与えることができる。
【先行技術文献】
【特許文献】
【０００７】
【特許文献１】特開２００９−１９４４８４
【発明の概要】
【発明が解決しようとする課題】
【０００８】
しかしながら、上記のようなイコライザを有するリピータ装置においては、ＤＶＤプレイヤＳＯ1とリピータ装置ＲＰ間のＨＤＭＩケーブルＣＢが短い場合であっても、上記イコライザが高域のゲインを持ち上げることになる。このため、映像や音声を送信するＴＭＤＳ信号の立ち上がりや立ち下がり等が影響を受け、かえって信号品質を劣化させる結果となる場合があった。
【０００９】
これを解決するためには、リピータ装置ＲＰにおいて、ＤＶＤプレイヤＳＯ1から送られてくるＴＭＤＳ信号を監視し、減衰が認められればイコライザを動作させ、減衰が認められなければイコライザを動作させないという方法も考えられる。しかし、これを行うためには、リピータ装置ＲＰにＴＭＤＳ信号の波形を監視するための回路が必要となる。このような監視回路によってＴＭＤＳ信号を監視するため波形の観測を行おうとすると、当該観測によってＴＭＤＳ信号が影響を受けて劣化する可能性がある。また、ＴＭＤＳ信号は周波数の高いパルス信号であるため、その波形観測は容易ではない。このため、波形を劣化させず観測を行う監視回路は複雑な構成とならざるを得なかった。
【００１０】
そこで、この発明では、簡易な構成でありながら上記問題を解決することのできるリピータ装置を提供することを目的とする。
【課題を解決するための手段】
【００１１】
（１）この発明に係るＨＤＭＩリピータ装置は、ＨＤＭＩソース装置とＨＤＭＩシンク装置との間に接続され、ＴＭＤＳ信号、ＤＤＣ信号、ホットプラグ検出信号を転送するＨＤＭＩリピータ装置であって、ＨＤＭＩソース装置からのＴＭＤＳ信号を受信し、イコライザにより高域ゲインを上げた後、ＨＤＭＩシンク装置に送信するイコライザ部と、ＨＤＣＰ第１認証実行の有無を判断する第１認証判断手段と、前記第１認証判断手段がＨＤＣＰ第１認証実行ありと判断すると、前記イコライザ部の前記イコライザの高域ゲインを増加または減少させる高域ゲイン調整手段とを備えている。
【００１２】
したがって、イコライザの高域ゲインを自動的に適正な値に調整することができる。
【００１３】
（３）この発明に係るＨＤＭＩリピータ装置は、第１認証判断手段は、ＤＤＣ信号を解析し、当該ＤＤＣ信号がＨＤＣＰ第１認証にのみ用いられるものであるかどうかを判断することによって、ＨＤＣＰ第１認証実行の有無を判断することを特徴としている。
【００１４】
したがって、ＨＤＣＰ第１認証を検出することができる。
【００１５】
（５）この発明に係るＨＤＭＩリピータ装置は、第１認証判断手段は、ＨＤＭＩシンク装置がホットプラグ検出信号を出力したかどうかを判断することによって、ＨＤＣＰ第１認証実行の有無を判断することを特徴としている。
【００１６】
したがって、ＨＤＣＰ第１認証を検出することができる。
【００１７】
（７）この発明に係るＨＤＭＩリピータ装置は、高域ゲイン調整手段によって高域ゲインが増加または減少されると、ＨＤＭＩソース装置に対して、ホットプラグ検出信号を強制的に出力する強制ホットプラグ手段をさらに備えたことを特徴としている。
【００１８】
したがって、高域ゲイン変更後に確実にＨＤＣＰ第１認証から開始させることができる。
【００１９】
（９）この発明に係るリピータ装置は、データを送信するソース装置と、ソース装置からのデータを受信するシンク装置との間に接続され、データの中継を行うリピータ装置であって、前記ソース装置は、接続されたシンク装置の認証を行った後、データを送信するものであり、前記ソース装置または前記シンク装置は、データが正しく送受信されたかどうかの確認を行い、正しく送信されていないと判断した場合には、前記認証を再度行うものであって、ソース装置からのデータを受信し、当該データに所定の特性修正を施した後、シンク装置に送信する特性修正部と、ソース装置からの制御信号を受信してシンク装置に転送するとともに、シンク装置からの制御信号を受信してソース装置に転送する制御信号転送部と、制御信号転送部において転送される制御信号を取得し、前記認証が行われているか否かを判断する認証判断手段と、前記認証判断手段によって前記認証が行われていると判断すると、前記特性修正部による特性修正の内容を変更する変更手段とを備えている。
【００２０】
したがって、特性修正部による特性修正を自動的に適正な値に調整することができる。
【００２１】
（１０）この発明に係る方法は、ＨＤＭＩソース装置とＨＤＭＩシンク装置との間においてやりとりされるＴＭＤＳ信号を転送する方法であって、ＨＤＭＩソース装置からのＴＭＤＳ信号を受信し、高域ゲインを上げた後、ＨＤＭＩリピータ装置に送信し、ＨＤＣＰ第１認証実行の有無を判断し、ＨＤＣＰ第１認証実行ありと判断すると、前記高域ゲインを増加または減少させることを特徴としている。
【００２２】
したがって、イコライザの高域ゲインを自動的に適正な値に調整することができる。
【００２３】
「第１認証判断手段」は、実施形態においては、ステップＳ４やステップＳ３５がこれに対応する。
【００２４】
「高域ゲイン調整手段」は、実施形態においては、ステップＳ７がこれに対応する。
【００２５】
「強制ホットプラグ手段」は、実施形態においては、ステップＳ９がこれに対応する。
【００２６】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００２７】
【図１】従来のＨＤＭＩリピータ装置ＲＰの構成を示す図である。
【図２】一実施形態によるＨＤＭＩリピータ装置ＲＰの機能ブロック図である。
【図３】ＨＤＭＩリピータ装置ＲＰのハードウエア構成を示す図である。
【図４】ＨＤＭＩリピータプログラム３０のフローチャートである。
【図５】ＤＤＣ信号のフォーマットを示す図である。
【図６】他の実施形態によるＨＤＭＩリピータ装置ＲＰの機能ブロック図である。
【図７】ＨＤＭＩリピータ装置ＲＰのハードウエア構成を示す図である。
【図８】ＨＤＭＩリピータプログラム３０のフローチャートである。
【図９】ＨＤＭＩリピータプログラム３０のフローチャートである。
【発明を実施するための形態】
【００２８】
１．第１の実施形態
1.1概要
図２に、この発明の一実施形態によるＨＤＭＩリピータ装置ＲＰの機能ブロック図を示す。ＨＤＭＩリピータ装置ＲＰは、ＨＤＭＩソース装置ＳＯとＨＤＭＩシンク装置ＳＫとの間に接続されている。ＨＤＭＩソース装置ＳＯとＨＤＭＩリピータ装置ＲＰとはＨＤＭＩケーブルＳＣ1によって接続され、ＨＤＭＩリピータ装置ＲＰとＨＤＭＩシンク装置ＳＫとはＨＤＭＩケーブルＳＣ2によって接続されている。
【００２９】
ＨＤＭＩリピータ装置ＲＰは、イコライザ部２、第１認証判断手段４、高域ゲイン調整手段６、強制ホットプラグ手段８、スイッチ１０を備えている。イコライザ部２は、イコライザを備えており、ＨＤＭＩソース装置ＳＯから、映像信号や音声信号等であるＴＭＤＳ信号をライン１２によって受け、高域のゲインを上げて（他の周波数のゲインに対して、高域のゲインを相対的に大きくして）、ライン１４を介してＨＤＭＩシンク装置ＳＫに転送する。
【００３０】
ＨＤＭＩソース装置ＳＯからの制御信号であるＤＤＣ信号は、ライン１８を介してＨＤＭＩシンク装置ＳＫに転送される。なお、ＤＤＣ信号は、接続されたＨＤＭＩシンク装置ＳＫが適正な装置であるかどうかの認証や、ＴＭＤＳ信号の暗号化やＴＭＤＳ信号が正しく伝送されたかどうかの確認に用いる。
【００３１】
ＨＤＭＩシンク装置ＳＫからのホットプラグ検出信号は、ライン１６を介してＨＤＭＩソース装置ＳＯに転送される。ホットプラグ検出信号は、ＨＤＭＩシンク装置ＳＫが接続された時に、ＨＤＭＩシンク装置ＳＫからＨＤＭＩソース装置ＳＯに対して送信される信号である。なお、ホットプラグ検出信号を伝送するためのライン１６には、スイッチ１０が設けられている。このスイッチ１０は、強制ホットプラグ手段８によって制御される。
【００３２】
以下、図２を参照して、ＨＤＭＩリピータ装置ＲＰの動作概要を説明する。ＨＤＭＩシンク装置ＳＫが、ＨＤＭＩリピータ装置ＲＰを介して、ＨＤＭＩソース装置ＳＯに接続されると、ＨＤＭＩシンク装置ＳＫは、ホットプラグ検出信号を送信する。平常時、スイッチ１０はオンになっているので、ホットプラグ検出信号は、ＨＤＭＩソース装置ＳＯに与えられる。
【００３３】
ＨＤＭＩソース装置ＳＯは、これにより、ＨＤＭＩシンク装置ＳＫが接続されたことを検出し、ＨＤＭＩシンク装置ＳＫが適正な機器であるかどうかの認証（ＨＤＣＰ第１認証という）を行う。
【００３４】
次に、ＨＤＭＩソース装置ＳＯは、ＤＤＣ信号を用いて、フレーム毎に暗号化モジュールを生成し、ＴＭＤＳ信号をフレーム毎に暗号化して送信する。また、ＨＤＭＩシンク装置ＳＫからＤＤＣ信号として返送されてきた暗号化計算値を受信し、これを自らの暗号化計算値と比較して、ＴＭＤＳ信号が正しく送信されたかどうか、つまり、ＨＤＣＰの保護状態が継続しているかどうかを定期的に判断する（ＨＤＣＰ第３認証という）。
【００３５】
たとえば、ＴＭＤＳ信号に歪みがあり、ＨＤＭＩシンク装置ＳＫが正しく受信できなかった場合には、ＨＤＭＩソース装置ＳＯは、上記ＨＤＣＰ第３認証によってそのような事態を知ることができる。第３認証においては、映像フレーム毎に計算された値を１２８フレームに１回読み取ってチェックされるので、第３認証に失敗した場合、ＴＭＤＳ信号が劣化した状態でフレーム情報が正しく送られない状況にあると推測できるからである。ＴＭＤＳ信号が正しく伝送されずＨＤＣＰ第３認証に失敗すると、ＨＤＭＩソース装置ＳＯは、ＨＤＣＰ第１認証に遡って再び処理を行う。
【００３６】
この実施形態では、ＴＭＤＳ信号が劣化していることを、ＨＤＣＰ第３認証の失敗の結果生じるＨＤＣＰ第１認証を検出することで検知しようとするようにしている。
【００３７】
ＨＤＭＩケーブルＳＣ1が短いにもかかわらずイコライザ部２による高域ゲインが大きすぎてＴＭＤＳ信号が劣化している場合や、ＨＤＭＩケーブルＳＣ1が長いにもかかわらずイコライザ部２による高域ゲインが足りずＴＭＤＳ信号が劣化している場合には、ＨＤＣＰ第３認証が失敗し、ＨＤＣＰ第１認証が行われる。
【００３８】
ＨＤＭＩリピータ装置ＲＰの第１認証判断手段４は、ライン１８のＤＤＣ信号を常時監視し、ＨＤＣＰ第１認証が行われているか否かを判断する。この実施形態において、第１認証判断手段４は、ＨＤＣＰ第１認証にのみ用いられるＤＤＣ信号を検出することによって、ＨＤＣＰ第１認証が行われているかどうかを判断する。
【００３９】
高域ゲイン調整手段６は、ＨＤＣＰ第１認証手段４によってＨＤＣＰ第１認証が行われていると判断すると、イコライザ部２の高域ゲインを変更する。この実施形態では、イコライザ部２の初期高域ゲインを最も大きくしておき、ＨＤＣＰ第１認証が検出される毎に徐々に高域ゲインを減少させるようにしている。
【００４０】
なお、この実施形態では、動作の安定化を図るため、高域ゲイン調整手段６によって高域ゲインが調整されると、強制ホットプラグ手段８が、ＨＤＭＩソース装置ＳＯに対して強制的にホットプラグ検出信号を与えるようにしている。この時、強制ホットプラグ手段８は、スイッチ１０をオフにして、強制ホットプラグ検出信号がＨＤＭＩシンク装置ＳＫに与えられないようにしている。
【００４１】
ＨＤＭＩソース装置ＳＯは、ホットプラグ検出信号を受けて、イコライザ部２のゲインが変更された状態で、ＨＤＣＰ第１認証からの処理を開始する。
【００４２】
以上のようにして、ＴＭＤＳ信号が不良であることを検出して、イコライザ部２の高域ゲインを減少させる。このようにしてイコライザ部２の高域ゲインを減少させても、ＴＭＤＳ信号が不良であれば、ＨＤＣＰ第３認証の失敗を経てＨＤＣＰ第１認証が行われるので、これを検出して、再びイコライザ部２の高域ゲインを減少させる。この処理を繰り返すことにより、自動的に、適切なＴＭＤＳ信号を転送することのできる高域ゲインにイコライザ部２を調整することができる。
【００４３】
1.2ハードウエア構成
図３に、一実施形態に係るＨＤＭＩリピータ装置ＲＰのハードウエア構成を示す。この実施形態では、ＨＤＭＩソース装置ＳＯとしてＤＶＤプレイヤ２６、ＨＤＭＩシンク装置ＳＫとしてモニタ２８が接続されている。ＨＤＭＩリピータ装置ＲＰは、イコライザ部２、スイッチ１０、ＣＰＵ２０、メモリ２２、キー２４を備えている。メモリ２２には、ＨＤＭＩリピータプログラム３０が記録されている。
【００４４】
また、ＨＤＭＩリピータ装置ＲＰには、ＨＤＭＩケーブルＳＣ1（ＳＣ2）からのＴＭＤＳ信号、ＤＤＣ信号、ホットプラグ検出信号などを伝送するライン１２、１４、１６、１８が設けられている。また、ＨＤＭＩソース装置ＳＯからＨＤＭＩシンク装置ＳＫに対して＋５Ｖを供給するためのライン３２も設けられている。
【００４５】
1.3ＨＤＭＩリピータプログラムの処理
図４に、ＨＤＭＩリピータプログラム３０のフローチャートを示す。たとえば、ＨＤＭＩソース装置ＳＯであるＤＶＤプレイヤ２６の電源スイッチが投入されると、＋５Ｖのライン３２が「Ｈ」になる。ＣＰＵ２０は、このライン３２が「Ｈ」になったことを検出して、ＨＤＭＩリピータプログラムの処理を開始する。
【００４６】
まず、ＣＰＵ２０は、スイッチ１０をオンにし、イコライザ部２の高域ゲインを初期値（ここでは最大）に設定する（ステップＳ１、Ｓ２）。ＨＤＭＩシンク装置ＳＫであるモニタ２８は、ライン３２が「Ｈ」を受けたことに対応して、ライン１６にホットプラグ検出信号を送信する。つまり、「Ｌ」から「Ｈ」に立ち上がる信号を送信する。これを受けたＤＶＤプレイヤ２６は、ＨＤＣＰ第１認証の処理を行う。
【００４７】
ＣＰＵ２０は、ＨＤＣＰ第１認証が行われているか否かを判断する（ステップＳ３）。ＨＤＣＰ第１認証においては、モニタ２８が適正な機器であるか否かを判断するため、モニタ２８のＢＫＳＶレジスタからの読出やＡＫＳＶレジスタへの書込が行われる。これらの読出や書込は、ＤＤＣ信号を伝送するライン１８を用いて行われる。したがって、ＣＰＵ２０は、ＤＤＣ信号のライン１８を監視し、上記のいずれかのレジスタに対するアクセスがあれば、ＨＤＣＰ第１認証が行われていると判断する。
【００４８】
図５に、ライン１８を介して伝送されるＤＤＣ信号のデータフォーマットを示す。ＣＰＵ２０は、このフォーマットにしたがって解析を行い、ＨＤＭＩシンク装置アドレスとレジスタアドレスに基づいて、ＢＫＳＶレジスタやＡＫＳＶレジスタにアクセスが行われているかどうかを判断する。ＢＫＳＶレジスタやＡＫＳＶレジスタ等のように、ＨＤＣＰ第１認証においてのみ用いられるレジスタにアクセスされている場合には、ＨＤＣＰ第１認証が行われていることを判断することができる。
【００４９】
ＣＰＵ２０は、上記のようにしてＨＤＣＰ第１認証を検出すると、１回目のＨＤＣＰ第１認証に対し何も処理を行わない（ステップＳ３）。１回目のＨＤＣＰ第１認証は、ＴＭＤＳ信号が不良でなくとも、必ず行われるものだからである。ＤＶＤプレイヤ２６は、ＨＤＣＰ第１認証が成功すると、ＨＤＣＰ第３認証を行いながら映像・音声などのＴＭＤＳ信号をモニタ２８に送信する。この時、ＴＭＤＳ信号は、イコライザ部２によって高域ゲインが強調される。
【００５０】
続いて、ＣＰＵ２０は、ＤＤＣ信号のライン１８の監視を続け、ＨＤＣＰ第１認証が行われたか否かを判断する（ステップＳ４）。２回目以降のＨＤＣＰ第１認証が行われるということは、ＴＭＤＳ信号に不良がありＨＤＣＰ第３認証が失敗し、その結果としてＨＤＣＰ第１認証が行われたということである。したがって、ＣＰＵ２０は、ステップＳ４においてＨＤＣＰ第１認証を検出すると、イコライザ部２の高域ゲインを減少させる（ステップＳ７）。
【００５１】
次に、ＣＰＵ２０は、ホットプラグ検出信号のライン１６に設けられているスイッチ１０をオフにして（ステップＳ８）、ライン１６にホットプラグ検出信号（「Ｌ」から「Ｈ」に変化する信号）を出力する（ステップＳ９）。なお、ライン１６は、通常「Ｈ」であるから、一旦「Ｌ」として、その後「Ｈ」を出力する。
【００５２】
この時、スイッチ１０をオフにしているので、ＣＰＵ２０によって生成されたホットプラグ検出信号は、ＤＶＤプレイヤ２６にのみ与えられる。モニタ２８には、ホットプラグ検出信号が与えられないようにして、悪影響を避けるためである。ＣＰＵ２０は、ホットプラグ検出信号を出力した後、スイッチ１０をオンに戻す（ステップＳ１０）。
【００５３】
ホットプラグ検出信号を受けたＤＶＤプレイヤ２６は、再びＨＤＣＰ第１認証から始めて、ＨＤＣＰ第３認証を行いながらＴＭＤＳ信号を送信する。
【００５４】
なお、上記において、ＣＰＵ２０がホットプラグ信号をＤＶＤプレイヤ２６に与えるようにしているのは、イコライザ部２の高域ゲインを変更したので、モニタ２８などがエラーを生じている可能性もあるため、安全のためＨＤＣＰ第１認証から再スタートするようにしたものである。
【００５５】
その後、ＣＰＵ２０は、再びステップＳ３以下を実行する。つまり、ＨＤＣＰ第１認証が行われたか否かを検出し、２回目以降のＨＤＣＰ第１認証を検出すると、上記と同様にしてイコライザ部２の高域ゲインを減少させる（ステップＳ７〜Ｓ１０）。
【００５６】
一方、直前のＨＤＣＰ第１認証が行われてから所定時間が経過しても、次のＨＤＣＰ第１認証が検出されなければ、ＣＰＵ２０は、その時のイコライザ部２の高域ゲインが適正であると判断し処理を終了する（ステップＳ５）。
【００５７】
以上のようにして、ＨＤＭＩリピータＲＰは、イコライザ部２の高域ゲインを適切に調整することができる。
【００５８】
1.4その他の実施形態
(1)上記実施形態では、ＨＤＭＩソース装置を１つだけ接続することのできるリピータ装置ＲＰを例として説明した。しかし、複数のＨＤＭＩソース装置を切り換えて接続することのできるリピータ装置ＲＰについても同様に適用することができる。
【００５９】
(2)また、上記実施形態では、強制ホットプラグ手段８、スイッチ１０を設けることにより、確実にＨＤＭＩソース装置ＳＯが第１認証を開始するようにしている。しかし、接続するＨＤＭＩシンク装置ＳＫの特性によっては、強制ホットプラグ手段８、スイッチ１０を設けなくともよい。
【００６０】
(3)また、上記実施形態では、イコライザ部２の高域ゲインを初期値を最大値とし、信号不良があった場合に高域ゲインを徐々に減少させるようにしている。しかし、初期値を最小値として徐々に高域ゲインを増加させるようにしてもよい。
【００６１】
(4)また、上記実施形態では、ＨＤＣＰ第１認証を１回検出する毎に、高域ゲインを変更するようにしている。しかし、予め定められた時間内にＨＤＣＰ第１認証が何度生じたかを検出するようにしてもよい。この場合、たとえば、高域ゲインの強調値を中央値から開始し、中央値の時のＨＤＣＰ第１認証の回数と、ゲイン変更後のＨＤＣＰ第１認証の回数とを比較して、回数が減少していればゲイン変更の方向が正しいと判断して、さらにその方向にゲインを変更する。また、中央値の時のＨＤＣＰ第１認証の回数と、ゲイン変更後のＨＤＣＰ第１認証の回数とを比較して、回数が増加していればゲイン変更の方向が間違っていたと判断して、さらにその方向とは反対の方向にゲインを変更する。以後、これを繰り返し、所定時間内にＨＤＣＰ第１認証が検出されなければ、その時の高域ゲインを用いる。
【００６２】
たとえば、高域ゲインを増加させたことにより、ＨＤＣＰ第１認証の回数が増加したのであれば、前回の高域ゲインよりも減少させた高域ゲインに変更する。また、高域ゲインを増加させたことにより、ＨＤＣＰ第１認証の回数が減少したのであれば、今回の高域ゲインよりも増加させた高域ゲインに変更する。
【００６３】
(5)上記実施形態では、ＨＤＣＰ第１認証が生じない高域ゲインを記録していない。しかし、これを記録しておき、次回の接続時にこれを初期値として用いるようにしてもよい。
【００６４】
(6)上記実施形態は、スイッチ１０を設け、強制的にホットプラグ検出信号を出力する場合には、スイッチ１０をオフにするようにしている。しかし、ＨＤＭＩシンク装置ＳＫに対する影響が少ないようであれば、スイッチ１０を設けず、強制的にホットプラグ検出信号を出力するようにしてもよい。
【００６５】
(7)上記に示したその他の実施形態は、第２の実施形態に対しても適用することができる。
【００６６】
２．第２の実施形態
2.1概要
図６に、第２の実施形態によるＨＤＭＩリピータ装置ＲＰの機能ブロック図を示す。この実施形態においては、第１認証判断手段４は、ライン１８のＤＤＣ信号を監視してＨＤＣＰ第１認証が行われることを判断することに加えて、ライン１６を監視し、ＨＤＭＩシンク装置ＳＫがホットプラグ検出信号を出力した場合にもＨＤＣＰ第１認証が行われることを判断するようにしている。ＴＭＤＳ信号が劣化している場合、ＨＤＭＩシンク装置ＳＫの側がこれを判断し、ホットプラグ検出信号を出力する場合があるからである。
【００６７】
なお、この実施形態において、強制ホットプラグ手段８は、ホットプラグ検出信号の検出によってＨＤＣＰ第１認証が行われると判断した場合には、強制的にホットプラグ検出信号を出力することを行わない。ＨＤＭＩシンク装置ＳＫの出力したホットプラグ検出信号をそのまま用いて処理を進めればよいからである。
【００６８】
2.2ハードウエア構成
図７に、この実施形態によるＨＤＭＩリピータ装置ＲＰのハードウエア構成を示す。基本的な構成は第１の実施形態と同様であるが、この実施形態では、切換回路４０によってＨＤＭＩソース装置であるＤＶＤプレイヤ２６、・・・ＢＤプレイヤ２７のいずれを接続するかを切り換えることができるようになっている。なお、切換回路４０は、ユーザからのキー２４への入力を受けて、ＣＰＵ２０の制御によって切り換えを行う。
【００６９】
2.3ＨＤＭＩリピータプログラムの処理
図８、図９に、ＨＤＭＩリピータプログラム３０のフローチャートを示す。図４に示すフローチャートと同じ処理には同じ符号を付している。
【００７０】
ＣＰＵ２０は、まず、スイッチ１０をオンにし、イコライザ部２の広域ゲインを初期値に設定する（ステップＳ１、Ｓ２）。ＨＤＭＩシンク装置ＳＫが接続されると、ＨＤＭＩシンク装置ＳＫであるモニタ２８は、ライン１６にホットプラグ検出信号を出力する。また、これを受けたＤＶＤプレイヤ２６は、ＨＤＣＰ第１認証を開始する。ＣＰＵ２０は、ライン１６を監視して上記のホットプラグ検出信号が出たことを検出し（ステップＳ２５）、ライン１８を監視してＨＤＣＰ第１認証が行われるかどうかを検出する（ステップＳ３）。
【００７１】
ＣＰＵ２０は、１回目のホットプラグ検出、１回目のＨＤＣＰ第１認証に対し何も処理を行わない。１回目のホットプラグ検出、１回目のＨＤＣＰ第１認証は、ＴＭＤＳ信号が不良でなくとも、必ず行われるものだからである。
【００７２】
続いて、ＣＰＵ２０は、ライン１６の監視を続け、ホットプラグ検出信号が出されたかどうかを判断する（ステップＳ３５）。ＴＭＤＳ信号に不良があった場合、モニタ２８がホットプラグ検出信号を出すことがある。したがって、ホットプラグ検出信号を見いだした場合、ＴＭＤＳ信号に不良があったと判断することができる。
【００７３】
ホットプラグ検出信号を見いだすと、ＣＰＵ２０は、イコライザ部２の高域ゲインを所定値だけ減少させ（ステップＳ３６）、ステップＳ３以下を実行する。この場合、モニタ２８の出したホットプラグ検出信号により、ＤＶＤプレイヤ２６が、ＨＤＣＰ第１認証を行い、これに成功するとＨＤＣＰ第３認証を行いつつＴＭＤＳ信号の送信を行うことになる。つまり、減少された高域ゲインに基づいて、ＴＭＤＳ信号の伝送が行われることになる。
【００７４】
ＣＰＵ２０は、ステップＳ３５において、ホットプラグ検出信号を見いださない場合、ステップＳ４に進む。ステップＳ４においては、ライン１８を監視し、ＨＤＣＰ第１認証が行われるかどうかを判断する。ＨＤＣＰ第１認証が行われたと判断した場合、ＴＭＤＳ信号に不良があったと判断して、イコライザ部２の高域ゲインを所定値だけ減少させ、強制的にホットプラグ検出信号を出力する点は、第１の実施形態と同じである。
【００７５】
直前のホットプラグ検出信号あるいはＨＤＣＰ第１認証が行われてから所定時間が経過しても、次のホットプラグ検出信号またはＨＤＣＰ第１認証が検出されなければ、ＣＰＵ２０は、その時のイコライザ部２の高域ゲインが適正であると判断し処理を終了する（ステップＳ５）。
【００７６】
以上のようにして、ＨＤＭＩリピータＲＰは、イコライザ部２の高域ゲインを適切に調整することができる。
【００７７】
2.4その他の実施形態
(1)上記実施形態では、ＨＤＭＩソース装置ＳＯを切り換えて使用できるＨＤＭＩリピータ装置ＲＰを例として説明した。しかし、１つのＨＤＭＩソース装置ＳＯのみを接続することのできるＨＤＭＩリピータ装置ＲＰに対しても適用することができる。
【００７８】
(2)上記実施形態では、ホットプラグ検出信号を見いだした場合には、強制的なホットプラグ検出信号を出力しないようにしている。しかし、この場合においても、強制的にホットプラグ検出信号を出力するようにしてもよい。
【００７９】
(3)上記実施形態では、イコライザの高域ゲインを変更する場合について説明をした。しかし、周波数特性だけでなく、全体的なゲインを変更する場合、あるいは波形修正などの特性修正を行う場合にも適用することができる。
【００８０】
(4)上記に示したその他の実施形態は、第１の実施形態に対しても適用することができる。
【図１】
0005764861.tif 000002
【図２】
0005764861.tif 000003
【図３】
0005764861.tif 000004
【図４】
0005764861.tif 000005
【図５】
0005764861.tif 000006
【図６】
0005764861.tif 000007
【図７】
0005764861.tif 000008
【図８】
0005764861.tif 000009
【図９】
0005764861.tif 000010